(57)【要約】【課題】  車上無線商取引システムの提供。【解決手段】  機動車両上にカード読み書き機及びＧＳＭモデムが設置される。カード読み書き機はポントカードのポイント数を読み取り、注文要求を入力する時、ポイント数より取引ポイント数を差引き、残りのポイント数をフェアカード内に書き込み、並びにＧＳＭモデムで取引ポイント数を無線で商店端のコンピュータに伝送し、特約商店より商品を提供し取引を完成する。これにより、本考案は機動車両上で直接無線方式でリアルタイムで商品の注文ができ、並びにリアルタイムで取引を完成できる。本考案の商店端コンピュータはまたそれぞれ累加統計し、各識別コードの取引ポイント数に対応し、これによりボーナス積分のセールス企画を提供する。【選択図】        図１
0003121247.tif 000002
【実用新案登録請求の範囲】
【請求項１】
機動車両上で使用され、ＧＳＭ無線ネットワークを経由してカード発行機構の特約商店にその商品を注文し並びに取引を完成し、該カード発行機構が複数のフェアカードを発行し、各フェアカードが唯一の識別コード及びそのフェアポイント数を保存し、該特約商店に商店端コンピュータが設置され並びにＧＳＭモデムで車上無線商取引システムの無線注文を受け取る、車上無線商取引システムにおいて、
該車上無線商取引システムが、
注文装置とされ、少なくとも一つの商品の注文するのに用いられ、並びに注文に対応する取引データを発生し、該取引データは該商品の購入が控除を必要とする取引ポイント数を含む、上記注文装置と、
カード読み書き機とされ、フェアカードの保存データを読み取るか、或いはデータを該フェアカード中に書き込む、上記カード読み書き機と、
ＧＳＭモデムとされ、無線方式でＧＳＭ無線ネットワークに連結され並びにデータ伝送する、上記ＧＳＭモデムと、
マイクロプロセッサとされ、注文装置の発生した取引データを受け取り、並びにカード読み書き機のフェアカードの識別コードとフェアポイント数の読み取りを制御し、並びにフェアカードのフェアポイント数が取引データのポイント数以上であるか比較し、フェアカードのフェアポイント数が取引データのポイント数以上であれば、該マイクロプロセッサがＧＳＭモデムを制御してフェアカードの識別コード及び取引データをＧＳＭ無線ネットワークを経由して特約商店に送り、商品を提供し、並びにフェアポイント数より取引ポイント数を引いた残りの余剰ポイント数を計算し、並びにカード読み書き機を制御して剰余点数をフェアカードに書き込み取引を完成する、上記マイクロプロセッサと、
を具えたことを特徴とする、車上無線商取引システム。
【請求項２】
前記カード発行機構が特約商店に商店カードを提供し、該商店カードが特約商店を代表する商店コードとその累計ポイント数を保存し、且つ該特約商店の商店端コンピュータがもう一つのカード読み書き機を具えて、データを該商店カードに書き込むか、或いは商店カードにデータを保存することを特徴とする、請求項１に記載の車上無線商取引システム。
【請求項３】
機動車両の車上機に使用され、ソフトウエアプログラムを格納し、ＧＳＭ無線ネットワークを経由してカード発行機構の特約商店に対してその商品を注文し並びに取引をするのに用いられ、該車上機が、注文装置、カード読み書き機、及びＧＳＭモデムを具え、該カード読み書き機が複数のフェアカードを発行し、各フェアカードが唯一の識別コード及びそのフェアポイント数を保存し、該特約商店に商店端コンピュータが設置され並びにＧＳＭモデムで車上機からの無線注文を受け取る、コンピュータが読み取り可能な記録メディアにおいて、
上記ソフトウエアプログラムが、
第１プログラムコードとされ、注文装置より入力された注文を受け取るのに用いられ、該注文が商品を購入するのに必要な控除取引ポイント数の取引データを含む、上記第１プログラムコードと、
第２プログラムコードとされ、カード読み書き機がフェアカードの識別コードとフェアポイント数を読み取るのを制御するのに用いられる、上記第２プログラムコードと、
第３プログラムコードとされ、フェアポイント数より取引ポイント数を差し引いて残る剰余ポイント数を計算するのに用いられる、上記第３プログラムコードと、
第４プログラムコードとされ、車上機のＧＳＭモデムを制御してフェアカードの識別コード及び取引データを商店端コンピュータのＧＳＭモデムに無線伝送するのに用いられる、上記第４プログラムコードと、
第５プログラムコードとされ、車上機のカード読み書き機を制御して剰余ポイント数をフェアカードに書き込み取引を完成するのに用いられる、上記第５プログラムコードと、  を含むことを特徴とする、コンピュータが読み取り可能な記録メディア。
【考案の詳細な説明】
【技術分野】
【０００１】
本考案は一種の車上無線商取引システム及びその方法に係り、特に、機動車両上で直接無線方式でリアルタイムで商品注文が行え、並びにリアルタイムで取引を完成できるシステム及びその方法であり、上述の商品が有形の物品及び無形のサービスの領域を含む、システムに関する。
【背景技術】
【０００２】
現在、機動車両上のシステムには周知のＧＳＭ無線電話システムがあり、友人への連絡や、サービスセンターにダイアルして各種の情報サービス、例えば株式、気象、路面、デパートセール商品などの情報の提供を要求することができる。また別にＧＰＳ（Ｇｌｏｂａｌ  Ｐｏｓｉｔｉｏｎ  Ｓｙｓｔｅｍ）があり、現在の車両の所在位置及び付近の商店の工商サービス情報、例えばホテル、レストラン、映画館、景観ポイントなどの位置情報を得ることができる。【０００３】
しかし、上述の周知のシステムは、ただドライバーが各種の情報を得ることしかできず、欲しい商品がある場合、ドライバーはただ自分で周知のＧＳＭ無線電話システムで音声方式で商店に対して商品を予約（Ｒｅｓｅｒｖａｔｉｏｎ）するか、或いはサービスセンターに予約代行を委任しなければならず、十分に不便であった。また、運転中に予約して即時支払いが行えないと、実際には取引は未完成であり、ドライバーが商店に到達して予約商品がすでに他人に売られてしまっていることがあり、これがドライバーと商店を困らせていた。
【考案の開示】
【考案が解決しようとする課題】
【０００４】
本考案の目的は、一種の車上無線商取引システム及びその方法を提供することにあり、それは機動車両上から直接無線方式で商品をリアルタイムで注文でき、並びにリアルタイムで取引を完成できるシステム及びその方法である。【０００５】
本考案のもう一つの目的は、一種の車上無線商取引システム及びその方法を提供することにあり、それは統計累加して各フェアカード識別コードの取引ポイント数に対応し、ボーナス積分のセールス企画を提供できるシステム及びその方法であるものとする。
【課題を解決するための手段】
【０００６】
請求項１の考案は、機動車両上で使用され、ＧＳＭ無線ネットワークを経由してカード発行機構の特約商店にその商品を注文し並びに取引を完成し、該カード発行機構が複数のフェアカードを発行し、各フェアカードが唯一の識別コード及びそのフェアポイント数を保存し、該特約商店に商店端コンピュータが設置され並びにＧＳＭモデムで車上無線商取引システムの無線注文を受け取る、車上無線商取引システムにおいて、
該車上無線商取引システムが、
注文装置とされ、少なくとも一つの商品の注文するのに用いられ、並びに注文に対応する取引データを発生し、該取引データは該商品の購入が控除を必要とする取引ポイント数を含む、上記注文装置と、
カード読み書き機とされ、フェアカードの保存データを読み取るか、或いはデータを該フェアカード中に書き込む、上記カード読み書き機と、
ＧＳＭモデムとされ、無線方式でＧＳＭ無線ネットワークに連結され並びにデータ伝送する、上記ＧＳＭモデムと、
マイクロプロセッサとされ、注文装置の発生した取引データを受け取り、並びにカード読み書き機のフェアカードの識別コードとフェアポイント数の読み取りを制御し、並びにフェアカードのフェアポイント数が取引データのポイント数以上であるか比較し、フェアカードのフェアポイント数が取引データのポイント数以上であれば、該マイクロプロセッサがＧＳＭモデムを制御してフェアカードの識別コード及び取引データをＧＳＭ無線ネットワークを経由して特約商店に送り、商品を提供し、並びにフェアポイント数より取引ポイント数を引いた残りの余剰ポイント数を計算し、並びにカード読み書き機を制御して剰余点数をフェアカードに書き込み取引を完成する、上記マイクロプロセッサと、
を具えたことを特徴とする、車上無線商取引システムとしている。
請求項２の考案は、前記カード発行機構が特約商店に商店カードを提供し、該商店カードが特約商店を代表する商店コードとその累計ポイント数を保存し、且つ該特約商店の商店端コンピュータがもう一つのカード読み書き機を具えて、データを該商店カードに書き込むか、或いは商店カードにデータを保存することを特徴とする、請求項１に記載の車上無線商取引システムとしている。
請求項３の考案は、機動車両の車上機に使用され、ソフトウエアプログラムを格納し、ＧＳＭ無線ネットワークを経由してカード発行機構の特約商店に対してその商品を注文し並びに取引をするのに用いられ、該車上機が、注文装置、カード読み書き機、及びＧＳＭモデムを具え、該カード読み書き機が複数のフェアカードを発行し、各フェアカードが唯一の識別コード及びそのフェアポイント数を保存し、該特約商店に商店端コンピュータが設置され並びにＧＳＭモデムで車上機からの無線注文を受け取る、コンピュータが読み取り可能な記録メディアにおいて、
上記ソフトウエアプログラムが、
第１プログラムコードとされ、注文装置より入力された注文を受け取るのに用いられ、該注文が商品を購入するのに必要な控除取引ポイント数の取引データを含む、上記第１プログラムコードと、
第２プログラムコードとされ、カード読み書き機がフェアカードの識別コードとフェアポイント数を読み取るのを制御するのに用いられる、上記第２プログラムコードと、
第３プログラムコードとされ、フェアポイント数より取引ポイント数を差し引いて残る剰余ポイント数を計算するのに用いられる、上記第３プログラムコードと、
第４プログラムコードとされ、車上機のＧＳＭモデムを制御してフェアカードの識別コード及び取引データを商店端コンピュータのＧＳＭモデムに無線伝送するのに用いられる、上記第４プログラムコードと、
第５プログラムコードとされ、車上機のカード読み書き機を制御して剰余ポイント数をフェアカードに書き込み取引を完成するのに用いられる、上記第５プログラムコードと、  を含むことを特徴とする、コンピュータが読み取り可能な記録メディアとしている。
【考案の効果】
【０００７】
総合すると、本考案はその目的、手段、機能のいずれにおいても周知の技術とは異なる特徴を有する車上無線商取引システム及びその方法の一代突破である。なお、本考案に基づきなしうる細部の修飾或いは改変は、いずれも本考案の請求範囲に属するものとする。
【考案を実施するための最良の形態】
【０００８】
本考案は機動車両上に注文装置、ＧＳＭモデム、及びマイクロプロセッサを設置する。注文装置は、少なくとも一つの商品の注文を入力するのに用いられ、並びに注文に対応する取引データを発生し、該取引データは該商品の購入が控除を必要とする取引ポイント数を含む。カード読み書き機はフェアカード（Ｆａｒｅ  Ｃａｒｄ）保存データを読み取るか、或いはデータが該フェアカード中に書き込まれる。ＧＳＭモデムは無線方式でＧＳＭ無線ネットワークに連結し並びにデータ伝送するのに供される。マイクロプロセッサは注文装置の発生する取引データを受け取り、並びにカード読み書き機のフェアカードの識別コードとフェアポイント数読み取りを制御し、並びにフェアカードのフェアポイント数が取引データのポイント数以上であるか比較し、イエスであればマイクロプロセッサがＧＳＭモデムを制御してフェアカードの識別コード及び取引データをＧＳＭ無線ネットワークを経由して商店端のＧＳＭモデムに伝送し、特約商店より商品を提供し、マイクロプロセッサが並びにフェアポイント数から取引ポイント数を控除して残った剰余点数を計算し、並びにカード読み書き機を制御して剰余点数をフェアカードに書き込み取引を完成する。これにより、本考案は機動車両上より直接無線方式でリアルタイムで商品注文を行え、並びにリアルタイムに取引を完成できる。【０００９】
そのうち、本考案のフェアカードはＩＣチップカード、バーコードカード、或いはその他のデータ保存機能を有するカードとされうる。取引データは上述の取引ポイント数のほかさらに取引日付、商品コード番号及び又は名称、商品単価、或いは数量等のデータを包括する。カード読み書き機は上述の各種の取引データをフェアカード中に書き込み取引歴史記録とする。【００１０】
本考案の車上で無線取引注文できる商品は、任意の有形の物品（劇場や遊園地のチケット、衣類、ホテルの予約、レストランのテーブルの予約、修理メインテナンスなど）、或いは無形の物品、無形のサービス（景色紹介、オンライン占い、マルチメディアオーディオビデオチャンネルなど）を含む。【００１１】
このほか、カード発行機構は特約商店に、商店カードを提供してその商店コード及び累計ポイント数を保存し、特約商店はもう一つのカード読み書き機でその商店カードに対するデータの読み書きの動作を行え、その取引で得られた点数を累加して商店カードに保存し、さらにカード発行機構への支払いを命じることができる。商店端コンピュータは各識別コードに対応する取引ポイント数を累加統計し、ボーナス積分のセールス企画を提供する。【００１２】
本考案の実行方法は以下のステップにより完成する。
ステップＡ：  注文装置で注文要求を入力し、この注文要求は、一つの商品を購入するのに必要な控除取引ポイント数の取引データを含み、並びにカード読み書き機がフェアカードの識別コード及びフェアポイント数を読み取る。
ステップＢ：  フェアポイント数から取引ポイント数を引いた残りの剰余ポイント数を計算する。
ステップＣ：  機動車両上のＧＳＭモデムでフェアカードの識別コードと取引データを無線で商店端コンピュータのＧＳＭモデムに伝送し並びに機動車両上のカード読み書き機で剰余ポイント数をフェアカードに書き込み、取引を完成する。【００１３】
以上の方法はソフトウエアプログラムで完成し、これにより本考案の方法はコンピュータ言語で書かれた後にさらにコンピュータの読み取り可能な記録メディア中に格納され、この記録メディアは、ハードディスク、フレキシブルディスク、ＣＤ、ＺＩＰ、ＭＯ、ＩＣチップ或いはこれらの記録メディアを含む使用可能な物品とされ、好ましくは、それをＲＡＭ中に格納してアクセス実行しやすいようにする。
【実施例１】
【００１４】
図１に示されるように、カード発行機構４（例えばＭｏｎｄｅｘ国際授権組織）が複数のフェアカードＣ（Ｆａｒｅ  Ｃａｒｄ）を発行し、各フェアカードＣが唯一の識別コードＩＤとそのフェアポイント数Ｓを保存する。該フェアポイント数Ｓは使用者がカード発行機構４より新たにフェアカードＣを購入する時、先に金額を支払い、その代わりに取得したフェアポイント数ＳがフェアカードＣ内に保存される。これにより、使用者はカード発行機構４の特約商店３内にあって、該フェアカードＣでその消費ポイント数Ｐを差し引くことができ、ゆえに、フェアカードＣは現金と同じに使用でき、また電子現金（Ｅｌｅｃｔｒｏｎｉｃ  Ｃａｓｈ）と称される。【００１５】
特約商店３全体の稼いだ累計ポイント数ΣＰは紙の請求書でカード発行機構４に支払い請求することもできるが、図１に示されるように、商店端コンピュータ３０の金融交換末端機３２例えばファクシミリマシン、モデムでデータ伝送作業を行い、並びに公共電信ネットワーク６（Ｐｕｂｌｉｃ  Ｓｗｉｔｃｈ  Ｔｅｌｅｐｈｏｎｅ  Ｎｅｔｗｏｒｋ：ＰＳＴＮ）でカード発行機構４に連結してそれに対する支払い請求を行うことができる。カード発行機構４のサーバー４１は請求点数及び金額に間違いがないことを確認すると、金融機構５のカード発行機構台帳５１より金額Σ＄を各商店帳簿５２内に転帳する。【００１６】
本考案は上述の金融交流環境を基礎とし、さらに機動車両上の車上機１で直接無線方式を利用して即時商品注文、即時取引完成するシステムと方法である。以下に述べる車上無線取引注文の商品は、任意の有形の物品（劇場や遊園地のチケット、衣類、ホテルの予約、レストランのテーブルの予約、修理メインテナンスなど）、或いは無形の物品、無形のサービス（景色紹介、オンライン占い、マルチメディアオーディオビデオチャンネルなど）を含む。【００１７】
本実施例のフェアカードＣには比較的大保存容量のＩＣチップを使用するのが好ましいが、バーコードカード、磁気リングカード或いはその他のデータ保存機能を有するカードとすることもできる。【００１８】
図１に示されるように、本実施例では、同時に複数の特約商店３を有し、それらがいずれもそれぞれその商店端コンピュータ３０でそのＧＳＭモデム３１に連結され、ＧＳＭ無線ネットワーク２を経由して車上機１からの無線注文を受け取ることができる。前述の車上機１において、マイクロプロセッサ１４が注文装置１１、カード読み書き機１２、及びＧＳＭモデム１３に連結されている。【００１９】
使用者が本実施例の車上機１よりＧＳＭ無線ネットワーク２を経由してカード発行機構４の特約商店３に対して商品Ｍを注文する時、使用者は先にフェアカードＣを購入しなければならず、並びに図２に示されるステップを実行する。
ステップＳＡ：  注文装置１１で注文を入力する。注文装置１１は簡単で単純な押しボタン或いはキーボードとされ、例えばサービスセンターの職員の協力により商品Ｍのデータをダウンロードして使用者が注文するか否かの確認を行うのに供するか、或いは先にスクリーンブラウザを提供して使用者が注文したい商品Ｍをクリック選択するのに供する。しかし、共通点は、いずれも取引データＤを発生し、取引データＤが該商品Ｍの購入が必要とする控除の取引ポイント数Ｐを含む。このほか、カード読み書き機１２が購入したフェアカードＣの識別コードＩＤ及びフェアポイント数Ｓを読み取る。
ステップＳＢ：  本実施例中にあって、マイクロプロセッサ１４はまずフェアポイント数Ｓを取引ポイント数Ｐより差し引いて余剰ポイント数Ｒを計算し、さらにステップＳＢ１として、余剰ポイント数Ｒが０より大きいか否かを比較してこのフェアカードＣのポイント数Ｓが使用に十分であるかを判断する。当然、直接フェアポイント数Ｓが取引データＤの取引ポイント数Ｐより大きいか否かを比較してこのフェアカードＣのポイント数Ｓが使用に十分であるか否かを判断することも可能である。フェアカードＣのフェアポイント数Ｓが取引データＤの取引ポイント数Ｐ以上であれば、ステップＳＣに進む。
ステップＳＣ：  車上機１のＧＳＭモデム１３が無線方式で、ＧＳＭ無線ネットワーク２に連結され、並びにフェアカードＣの識別コードＩＤ及び取引データＤ（取引ポイント数Ｐを含む）を無線で商店端コンピュータ３０のＧＳＭモデム３１に伝送する（ステップＳＣ１）。図３も参照されたい。このとき、もし商店端コンピュータ３０がフェアカードＣの識別コードＩＤ、及び取引データＤ（取引ポイント数Ｐを含む）にエラーがないことを確認（ステップＳＣ２）すると、特約商店３が商品Ｍを使用者に供給でき、並びに確認コードを車上機１のＧＳＭモデム１３に送り（ステップＳＣ３）、即ち車上機１のカード読み書き機１２が続いて前述の計算で得られた余剰ポイント数ＲをフェアカードＣに書き込み、取引を完成し（ステップＳＣ４）、安全性を有する。【００２０】
これにより、本考案は車上より直接無線方式で即時商品注文が行え、並びに即時取引完成できる。そのうち、上述の取引データＤはさらに取引日付時間、商品コード番号及び又は名称、商品単価、或いは数量等のデータを包括し、並びにカード読み書き機１２が該フェアカードＣに書き込み、取引歴史記録となす。
管理しやすいように、本例のカード発行機構４は各一つの特約商店３に一枚の商店カードＣ’を提供し、特約商店３が商店端コンピュータ３０のカードリーダー３４で累計ポイント数ΣＰを商店カードＣ’に書き込むか、或いは支払い請求時に累計ポイント数ΣＰと共に該特約商店３を代表する商店コードＩＤ’を送信する。【００２１】
図４はもう一つの具体的実施例を示し、その車上機１と前述の実施例は完全に同じであるが、組み合わされる複数の特約商店が一つのサービスセンター３’に整合されて、注文を統一して受け、ポイント数控除を統一して行い、取引完成後にポイント数を各商店に分配する。こうして使用者はただ一つのサービスセンター３’の電信コード番号を記憶するだけでよく、各商店の電信コード番号を記憶する必要がない。またサービスセンターコンピュータ３０’が各一つの識別コードＩＤに対してそのここにあって消費した取引ポイント数を累加統計し、ゆえにボーナス積分などの多様化したセールス企画と組み合わせられる。【００２２】
図４に示されるように、本実施例の車上機１はＧＳＭモデム１３でサービスセンターコンピュータ３０’のＧＳＭモデム３１に無線で連結され、それは即時オンライン、即時取引完成を採用している。しかし、本実施例ではメモリ装置３３が増設されて、複数の取引データＤを暫時保存でき、ある時間累積しさらに毎日の特定時間例えば午後１１時或いは不特定時間にカード発行機構４のサーバー４１に一回連結して情報を交換し、ネットワークの混雑を減少する。【００２３】
このほか、前の二例中の各フェアカードＣは新たに購入されてフェアポイント数Ｓが予め保存されるが、消費を続けてポイント数がなくなった時は、本実施例の図４中の金融機構５中より使用者の個人台帳５３より自動レジスタ５０がカード発行機構台帳５１に転帳し、これによりポイント数を購入でき並びにフェアカードＣ中に書き込む。【００２４】
或いは、サービスセンター３’がその台帳５２’よりカード発行機構台帳５１に転帳して一つのトータルバッチポイント数を予め購入する。運転中で自動レジスタ５０にアクセスして転帳してポイント数申請するのが不便であるときは、使用者はサービスセンター３’の協力を求めることができる。サービスセンター３’はまずＧＳＭモデム３１より小バッチポイント数を車上機１のＧＳＭモデム１３にダウンロードし、並びにそれをフェアカードＣに書き込み、使用に供する。その後、サービスセンター３’がさらにこの取引データＤ（使用者のフェアカードＣの識別コードＩＤ、及び上述のダウンロードポイント数Ｐを含む）に対してカード発行機構４に支払いを求め、カード発行機構４がエラーのないことを確認した後、カード発行機構台帳５１より対応する金額をサービスセンター台帳５２’に転帳し、同時に該識別コードＩＤにより使用者の個人台帳５３に対して転帳償還を要求し、こうしてさらに使用の便利性が高められている。【００２５】
本考案の車上無線商取引システム及びその方法は、コンピュータ言語で書かれて実行され、書かれたソフトウエアプログラムは任意のマイクロプロセッサユニットにより識別、解読されうる記録メディアとされるか、或いはこの記録メディアを含む物品及び装置とされる。その形式に限定はなく、この物品は、ハードディスク、フレキシブルディスク、ＣＤ、ＺＩＰ、ＭＯ、ＩＣチップ、ＲＡＭ、或いは使用可能なこの記録メディアを含む物品とされる。本考案の車上無線商取引方法はすでに完全に記載され、コンピュータ言語に習熟する者であれば、本明細書によりソフトウエアプログラムを書くことができるため、ソフトウエアプログラムの細かい部分については説明を省略する。
【図面の簡単な説明】
【００２６】
【図１】本考案の好ましい実施例のシステム構造ブロック図である。
【図２】本考案の好ましい実施例のフローチャートである。
【図３】本考案の好ましい実施例の細部フローチャートである。
【図４】本考案のもう一つの好ましい実施例のシステム構造ブロック図である。
【符号の説明】
【００２７】
１  車上機          １１  注文装置        １２  カード読み書き機
１３  ＧＳＭモデム  １４  マイクロプロセッサ
２  ＧＳＭ無線ネットワーク        ３  特約商店
３０  商店端コンピュータ          ３１  ＧＳＭモデム
３’  サービスセンタ              ３０’  サービスセンタコンピュータ
３３  記憶装置                    ３４  カード読み書き機
４  カード発行機構                ４１  サーバー
５  金融機構                      ５０  自動レジスタ
５１  カード発行機構帳簿          ５２’  サービスセンター帳簿
６  公共電信ネットワーク          Ｃ  フェアカード
Ｃ’  商店カード                  Ｄ  取引データ
ＩＤ  識別コード                  ＩＤ’  商店コード
Ｍ  商品                          Ｐ  取引ポイント数
ΣＰ  累計ポイント数              Ｓ  フェアポイント数
Ｒ  剰余点数
【図１】
0003121247.tif 000003
【図２】
0003121247.tif 000004
【図３】
0003121247.tif 000005
【図４】
0003121247.tif 000006
【手続補正書】
【提出日】平成18年2月27日(2006.2.27)
【手続補正１】
【補正対象書類名】実用新案登録請求の範囲
【補正対象項目名】全文
【補正方法】変更
【補正の内容】
【実用新案登録請求の範囲】
【請求項１】
機動車両上で使用され、ＧＳＭ無線ネットワークを経由してカード発行機構の特約商店にその商品を注文し並びに取引を完成し、該カード発行機構が複数のフェアカードを発行し、各フェアカードが唯一の識別コード及びそのフェアポイント数を保存し、該特約商店に商店端コンピュータが設置され並びにＧＳＭモデムで車上無線商取引システムの無線注文を受け取る、車上無線商取引システムにおいて、
該車上無線商取引システムが、
注文装置とされ、少なくとも一つの商品の注文するのに用いられ、並びに注文に対応する取引データを発生し、該取引データは該商品の購入が控除を必要とする取引ポイント数を含む、上記注文装置と、
カード読み書き機とされ、フェアカードの保存データを読み取るか、或いはデータを該フェアカード中に書き込む、上記カード読み書き機と、
ＧＳＭモデムとされ、無線方式でＧＳＭ無線ネットワークに連結され並びにデータ伝送する、上記ＧＳＭモデムと、
マイクロプロセッサとされ、注文装置の発生した取引データを受け取り、並びにカード読み書き機のフェアカードの識別コードとフェアポイント数の読み取りを制御し、並びにフェアカードのフェアポイント数が取引データのポイント数以上であるか比較し、フェアカードのフェアポイント数が取引データのポイント数以上であれば、該マイクロプロセッサがＧＳＭモデムを制御してフェアカードの識別コード及び取引データをＧＳＭ無線ネットワークを経由して特約商店に送り、商品を提供し、並びにフェアポイント数より取引ポイント数を引いた残りの余剰ポイント数を計算し、並びにカード読み書き機を制御して剰余点数をフェアカードに書き込み取引を完成する、上記マイクロプロセッサと、
を具えたことを特徴とする、車上無線商取引システム。
【請求項２】
前記カード発行機構が特約商店に商店カードを提供し、該商店カードが特約商店を代表する商店コードとその累計ポイント数を保存し、且つ該特約商店の商店端コンピュータがもう一つのカード読み書き機を具えて、データを該商店カードに書き込むか、或いは商店カードにデータを保存することを特徴とする、請求項１に記載の車上無線商取引システム。
【手続補正２】
【補正対象書類名】明細書
【補正対象項目名】０００６
【補正方法】変更
【補正の内容】
【０００６】
請求項１の考案は、機動車両上で使用され、ＧＳＭ無線ネットワークを経由してカード発行機構の特約商店にその商品を注文し並びに取引を完成し、該カード発行機構が複数のフェアカードを発行し、各フェアカードが唯一の識別コード及びそのフェアポイント数を保存し、該特約商店に商店端コンピュータが設置され並びにＧＳＭモデムで車上無線商取引システムの無線注文を受け取る、車上無線商取引システムにおいて、
該車上無線商取引システムが、
注文装置とされ、少なくとも一つの商品の注文するのに用いられ、並びに注文に対応する取引データを発生し、該取引データは該商品の購入が控除を必要とする取引ポイント数を含む、上記注文装置と、
カード読み書き機とされ、フェアカードの保存データを読み取るか、或いはデータを該フェアカード中に書き込む、上記カード読み書き機と、
ＧＳＭモデムとされ、無線方式でＧＳＭ無線ネットワークに連結され並びにデータ伝送する、上記ＧＳＭモデムと、
マイクロプロセッサとされ、注文装置の発生した取引データを受け取り、並びにカード読み書き機のフェアカードの識別コードとフェアポイント数の読み取りを制御し、並びにフェアカードのフェアポイント数が取引データのポイント数以上であるか比較し、フェアカードのフェアポイント数が取引データのポイント数以上であれば、該マイクロプロセッサがＧＳＭモデムを制御してフェアカードの識別コード及び取引データをＧＳＭ無線ネットワークを経由して特約商店に送り、商品を提供し、並びにフェアポイント数より取引ポイント数を引いた残りの余剰ポイント数を計算し、並びにカード読み書き機を制御して剰余点数をフェアカードに書き込み取引を完成する、上記マイクロプロセッサと、
を具えたことを特徴とする、車上無線商取引システムとしている。
請求項２の考案は、前記カード発行機構が特約商店に商店カードを提供し、該商店カードが特約商店を代表する商店コードとその累計ポイント数を保存し、且つ該特約商店の商店端コンピュータがもう一つのカード読み書き機を具えて、データを該商店カードに書き込むか、或いは商店カードにデータを保存することを特徴とする、請求項１に記載の車上無線商取引システムとしている。